(57)【要約】【課題】紙等の細断を低コストで小型の構造で実現可能な電気掃除機用アタッチメント及び吸込口体を提供すること。【解決手段】紙破砕部（紙破砕手段１９）が設けられたケース（本体ケース１１）に電気掃除機の吸込風路への接続部（接続パイプ１５）を設けている。【選択図】  図４
2007068728.tif 000002
【特許請求の範囲】
【請求項１】
紙破砕部が設けられたケースに電気掃除機の吸込風路への接続部を設けたことを特徴とする電気掃除機用アタッチメント。
【請求項２】
紙破砕部が設けられたケースに電気掃除機の吸込風路への接続部を設けると共に、前記ケースの底面に吸込開口を形成したことを特徴とする吸込口体。
【請求項３】
前記ケースは電気掃除機の吸込風路への接続部が設けられた吸込口本体と前記紙破砕部が収納された破砕ケース本体を備え、前記吸込口本体の上面には吸込口本体内に配設した蓋体で開閉可能な本体接続口が設けられていると共に、前記破砕ケース本体の下面には前記本体接続口に着脱可能に挿入接続される接続筒部が設けられていることを特徴とする請求項２に記載の吸込口体。
【発明の詳細な説明】
【技術分野】
【０００１】
この発明は、電気掃除機の吸込風路に接続して用いる電気掃除機用アタッチメント及び吸込口体に関するものである。
【背景技術】
【０００２】
近年、コピー機やコンピュータ等のＯＡ機器の普及に伴い、オフィス等では大量の紙類が使用され廃棄されている。この場合、廃棄紙は機密保持の関係で通常例えば特許文献１におけるようなシュレッダーで細断（破砕）した後にビニール袋等に詰めて廃棄しているのが現状である。
【特許文献１】特開２００４−３５１２７３号公報
【発明の開示】
【発明が解決しようとする課題】
【０００３】
ところで、一般家庭等においても、多数の郵便物や不要になった領収書等書類にも個人情報が含まれていることが普通である。このような書類も廃棄する場合にはシュレッダー等で細断するのが望ましい。
【０００４】
しかしながら、オフィス等で使用されるシュレッダーは大型でコストが高いため一般家庭には不向きであった。
【０００５】
そこで、この発明は、紙等の細断を低コストで小型の構造で実現可能な電気掃除機用アタッチメント及び吸込口体を提供することを目的とするものである。
【課題を解決するための手段】
【０００６】
そこで、この発明にかかる電気掃除機用アタッチメント及び吸込口体は、紙破砕部が設けられたケースに電気掃除機の吸込風路への接続部を設けたことを特徴とする。
【発明の効果】
【０００７】
この構成によれば、電気掃除機の吸込風路にケースの接続部を単に接続して、電気掃除機を作動させると共に紙破砕部を作動させることで、紙破砕部で破砕された書類等の紙を電気掃除機の集塵室に捕集させることができるので、家庭等においても大型のシュレッダーを用いることなく不要になった書類を簡易且つ迅速に破砕して、破砕した書類等を電気掃除機の集塵室に捕集することができる。
【発明を実施するための最良の形態】
【０００８】
以下、この発明の実施の形態を図面に基づいて説明する。
[構成]
図１において、１は電気掃除機の掃除機本体、２は掃除機本体１の本体ケース、３は本体ケース２の前部に設けられた集塵室、４は集塵室３内に装着された紙パックフィルタ（集塵フィルタ）、５は本体ケース２の後部内に配設され且つ集塵室３に吸込負圧を作用させる電動送風機である。
【０００９】
この本体ケース２の前端部には、紙パックフィルタ４の図示しない口枠の接続口に連通するホース接続口６が形成されている。このホース接続口６には集塵ホース７の一端部に取り付けた接続筒７ａが着脱可能に嵌着されている。しかも、接続筒７ａは紙パックフィルタ４の図示しない接続口に接続されている。
【００１０】
また、集塵ホース７の他端部には手元操作パイプ８が取り付けられ、手元操作パイプ８には延長管（延長パイプ）９を介して吸込口体（アタッチメント）１０が接続されている。
【００１１】
尚、図１において、８ａは手元操作パイプ８に設けられた操作パネルである。この操作パネル８ａには、「弱／中」吸込風量切り替え用のスイッチＳ１と、「強」吸込風量用のスイッチＳ２と、「切り」用のスイッチＳ３等が設けられている。
＜吸込口体１０＞
この吸込口体１０は図１，図２に示したように本体ケース１１を有し、本体ケース１１は吸込口本体１２及び紙破砕装置（紙破砕部）１３を備えている。
（吸込口本体１２）
この吸込口本体１２内には図２，図４に示したように吸込室１４が形成され、吸込口本体１２の後縁部の左右方向中央部には吸込室１４に連通する接続パイプ１５が接続部として設けられている。この接続パイプ１５は、図１に示したように延長管９に着脱可能に嵌合接続されて、延長管９内の吸込風路に連通している。
【００１２】
また、吸込口本体１２は図２〜図４に示したように上壁１２ａを有し、この上壁１２ａの前部には左右方向両端部まで延び且つ上方及び前方に開放する取付凹部１６が形成されている。しかも、図３に示したように取付凹部１６の底壁１６ａの左右方向中央部には吸込室１４に開口する本体接続口１７が形成され、底壁１６ａの長手方向の一端部にはスリット１６ｂが形成されている。
（紙破砕装置１３）
さらに、紙破砕装置１３は、図４に示したように取付凹部１６に着脱可能に嵌着された破砕ケース本体１８と、破砕ケース本体１８内に設けられた紙破砕手段（紙破砕部）１９を有する。
【００１３】
この破砕ケース本体１８の底壁１８ａには、図４に示したように破砕ケース本体１８内に連通し且つ本体接続口１７に嵌合された接続筒部１８ｂが一体に形成されている。
【００１４】
また、破砕ケース本体１８の上壁１８ｃは半円筒状に形成され、この上壁１８ｃの前側の円弧状湾曲部分には紙装入用のスリット２０が形成されている。このスリット２０は破砕ケース本体１８の長手方向両端部まで延設されている。
【００１５】
また、紙破砕手段１９は、スリット２０に沿って平行に延びる一対の縦切用の回転カッター２１，２２と、回転カッター２１，２２に沿って平行に延びる一つの横切用の回転カッター２３を有する。この回転カッター２１，２２は、上壁１８ｃの前側の円弧状湾曲部分に対応して斜めに配列されている。
【００１６】
しかも、図５に示したように回転カッター２１の多数のフランジ状の切刃２１ａは、回転カッター２２の多数のフランジ状の切刃２２ａ間に係合している。そして、回転カッター２１，２２はスリット２０から挿入される紙を幅狭の帯状に縦切り（カッティング）するようになっている。
【００１７】
また、回転カッター２３は、図４に示したように回転カッター２１，２２よりも後斜め下方（図４では左斜め下方）に配設されていて、回転カッター２１，２２により帯状に縦切りされた紙を横切りして、細かく細断することができるようになっている。
【００１８】
この回転カッター２１，２２，２３は長手方向両端部が破砕ケース本体１８の長手方向両端部に回転自在に保持され、破砕ケース本体１８の底壁１８ａの長手方向の一端部には図６に示したスリット１８ｄが形成されている。
【００１９】
また、図６に示したように回転カッター２３の一端部には大径のギヤ２３ａ及び小径のギヤ２３ｂが取り付けられ、ギヤ２３ａはスリット１８ｄから下方に突出している。更に、回転カッター２１，２２の一端部には互いに噛合するギヤ２１ａ，２２ａがそれぞれ取り付けられ、回転カッター２１の一端部にはギヤ２３ｂに噛合するギヤ２１ｂが取り付けられている。
【００２０】
これにより、回転カッター２３が図４中反時計回り方向に回転させられると、回転カッター２１が時計回り方向に回転させられると共に、回転カッター２２が反時計回り方向に回転させられるようになっている。
【００２１】
一方、吸込口本体１２の一端部には図５に示したように吸込室１４から区画されたモータ室２４が形成され、モータ室２４内には駆動モータ２５が配設されている。この駆動モータ２５の回転は、図４に示したように破砕ケース本体１８が取付凹部１６に嵌着されたときに、図６に示した動力伝達機構２６により回転カッター２３のギヤ２３ａに伝達されるようになっている。
【００２２】
この動力伝達機構２６は、図５の如くの駆動モータ２５の出力軸２５ａに固定されたギヤ２７と、破砕ケース本体１８に回転自在に保持され且つギヤ２７に噛合するギヤ２８と、図６の如く破砕ケース本体１８に回転自在に保持され且つギヤ２８に噛合する駆動ギヤ２９を有する。この駆動ギヤ２９は、取付凹部１６の一端部に設けられ且つモータ室２４に開口するスリット１６ｂの下方に位置させられている。しかも、破砕ケース本体１８が取付凹部１６に嵌着されたときに、回転カッター２３のギヤ２３ａがスリット１６ｂを介して駆動ギヤ２９に噛合し、駆動モータ２５の回転が回転カッター２３に伝達されるようになっている。
【００２３】
尚、図示は省略したが、破砕ケース本体１８が取付凹部１６に嵌着されたときに、破砕ケース本体１８を吸込口本体１２に固定する固定手段が設けられる。この固定手段としては、破砕ケース本体１８と取付凹部１６の側壁との間に設けられて、破砕ケース本体１８が取付凹部１６に嵌着されたときに互いに嵌合する凹部と凸部からなる係合手段であっても良い。また、固定手段としては吸込口本体１２と破砕ケース本体１８とに跨る固定バンド等であっても良い。
【００２４】
また、図示を省略したが、吸込口体１０の接続パイプ１５を図１の如く延長管９に接続することにより、掃除機本体１内の図示しない電源から電力が集塵ホース７，手元操作パイプ８，延長管９等に設けられた図示しない給電線を介して吸込口本体１２の駆動モータ２５に給電可能に設けられている。
[作用]
次に、このような構成の電気掃除機の吸込口体１０の作用を説明する。
【００２５】
手元操作パイプ８に設けられたスイッチＳ１又はＳ２を入れると、電動送風機５が駆動される。電動送風機５が駆動すると吸込負圧が発生し、集塵室３，紙パックフィルタ４，集塵ホース７，手元操作パイプ８，延長管９，及び接続パイプ１５を介して吸込口体１０の吸込室１４に吸込負圧が作用する。この吸込負圧は、接続筒部１８ｂを介して破砕ケース本体１８内に作用する。
【００２６】
この吸込負圧によってスリット２０から破砕ケース本体１８内に空気が吸い込まれる。この吸い込まれた空気は、接続筒部１８ｂ，吸込室１４，延長管９，手元操作パイプ８，集塵ホース７を介して集塵室３内の紙パックフィルタ４へ吸い込まれた後、紙パックフィルタ４を透過して電動送風機５に吸い込まれて内部を冷却し、図示しない排気口から大気に排気される。
【００２７】
一方、スイッチＳ１又はＳ２を入れると、掃除機本体１内の図示しない電源から電力が集塵ホース７，手元操作パイプ８，延長管９等に設けられた図示しない給電線を介して吸込口本体１２の駆動モータ２５に供給され、図５の駆動モータ２５が正転させられる。
【００２８】
これにより、駆動モータ２５からの回転が図６の動力伝達手段２６を介してギヤ２３ａに伝達され、回転カッター２３が図４中反時計回り方向に回転させられる。この回転カッター２３の回転はギヤ２３ｂ，２１ｂを介して回転カッター２１に伝達されて、回転カッター２１が時計回り方向に回転させられると共に、回転カッター２１の回転はギヤ２１ａ，２２ａを介して回転カッター２２に伝達されて、回転カッター２２が反時計回り方向に回転させられる。
【００２９】
従って、紙Ｐを図４の吸込口体１０のスリット２０から破砕ケース本体１８内に挿入すると、紙Ｐは回転カッター２１，２２で斜め左下方に送られながら回転カッター２１，２２の切刃２１ａ，２２ａにより細幅で縦長に帯状に細断される。そして、この帯状に細断された紙は、回転カッター２３で更に横切りされて細かくされ、この細かく細断された細断紙Ｐ′は接続筒部１８ｂを介して吸込室１４内に吸い込まれる。
【００３０】
この吸込室１４内に吸い込まれた紙は、スリット２０から吸込室１４内に吸い込まれる空気と共に延長管９，手元操作パイプ８，集塵ホース７を介して集塵室３内の紙パックフィルタ４へ吸い込まれて、紙パックフィルタ４に捕集されることになる。
【００３１】
尚、破砕ケース本体１８は、一体のものとして図示しているが、必ずしもこれに限定されるものではない。例えば、破砕ケース本体１８を下部側の部分と上壁１８ｃとに分割すると共に、上壁１８ｃを下部側の部分に開閉可能に取り付けて、上壁１８ｃを開くことにより破砕ケース本体１８の内部の点検、補修をできるようにしておくと良い。
【００３２】
この場合には、破砕ケース本体１８を図３の如く吸込口本体１２の取付凹部１６から取り外して、上壁１８ｃを開くことにより破砕ケース本体１８の内部の点検、補修を行うことができる。
（変形例１）
また、図７〜図９に示したように取付凹部１６の本体接続口１７を破砕ケース本体１８内に配設した蓋体３０，３０で開閉可能に設けても良い。
【００３３】
この場合、蓋体３０，３０は、吸込室１４内に配設する共に、下方に開閉可能に取付凹部１６の底壁１６ａに取り付ける。しかも、蓋体３０，３０は、図示しないバネ（回動付勢手段）で本体接続口１７を閉成する方向（上方）に回動付勢されていて、取付凹部１６から破砕ケース本体１８を取り外すことにより、図示しないバネ（回動付勢手段）の付勢力で本体接続口１７を閉成するようになっている。
【００３４】
従って、図７，図９（ａ）のように破砕ケース本体１８を取付凹部１６から取り外したときに、破砕ケース本体１８内に破砕した紙が残っていても、破砕ケース本体１８内の紙が本体接続口１７からこぼれ落ちるようなことはない。
【００３５】
また、吸込口体１０をシュレッダーとして使用する場合には、図８，図９（ｂ）のように破砕ケース本体１８を取付凹部１６に嵌着する。この嵌着に際して破砕ケース本体１８の接続筒部１８ｂは、本体接続口１７に挿入されて、蓋体３０，３０を付勢する図示しないバネ（回動付勢手段）に抗して蓋体３０，３０を下方に開くことになる。これにより、上述したように破砕ケース本体１８内の紙破砕手段（紙破砕部）１９で紙を破砕することができる。
（変形例２）
更に、図７〜図９に示した変形例１の構成に図１０，図１１に示したような構成を加えても良い。即ち、図１０，図１１に示したように吸込口本体１２の底壁１２ｂに吸込開口３１を設けておいて、吸込口本体１２を清掃面に沿って移動させることにより、吸込開口３１から清掃面の塵埃を吸込室１４内に吸い込ませて、最終的には紙パックフィルタ４に塵埃を捕集させることにより、吸込口本体１２を床面等の清掃にも使用できる。
【００３６】
尚、この清掃に際しては、図１１（ａ）のように破砕ケース本体１８を取付凹部１６から取り外して、蓋体３０，３０で本体接続口１７を図示しないバネで閉成させておくこともできる。この場合には、紙破砕手段（紙破砕部）１９が駆動されないので、電力の消費を抑制できる。また、紙破砕手段（紙破砕部）１９がない分だけ吸込口体１０が軽くなるので、吸込口体１０の移動操作性が向上する。
【００３７】
以上説明したように、この発明の実施の形態の電気掃除機用アタッチメント（吸込口体１０）は、紙破砕部（紙破砕手段１９）が設けられたケース（本体ケース１１）に電気掃除機の吸込風路への接続部（接続パイプ１５）を設けている。
【００３８】
この構成によれば、電気掃除機の吸込風路（延長管９の吸込風路又は手元操作パイプ８の吸込風路）にケース（本体ケース１１）の接続部（接続パイプ１５）を単に接続して、電気掃除機（電動送風機５）を作動させると共に紙破砕部（紙破砕手段１９）を作動させることで、紙破砕部（紙破砕手段１９）で破砕された書類等の紙を電気掃除機の集塵室３の紙パックフィルタ４に捕集させることができるので、家庭等においても大型のシュレッダーを用いることなく不要になった書類を簡易且つ迅速に破砕して、破砕した書類等を電気掃除機の紙パックフィルタ４に捕集することができる。
【００３９】
また、この発明の実施の形態の吸込口体１０は、紙破砕部（紙破砕手段１９）が設けられたケース（本体ケース１１）に電気掃除機の吸込風路への接続部（接続パイプ１５）を設けると共に、前記ケース（本体ケース１１）の底面に吸込開口３１を形成している。
【００４０】
この構成によれば、紙破砕部（紙破砕手段１９）で破砕された書類等の紙を電気掃除機の集塵室３の紙パックフィルタ４に捕集させることができる一方、吸込開口３１を利用して床等の清掃面の塵埃を吸込口体１０の吸込室１４内に吸い込んで、吸い込んだ塵埃を最終的に紙パックフィルタ４に捕集させることができる。
【００４１】
更に、この発明の実施の形態の吸込口体１０は、前記ケース（本体ケース１１）は吸込室１４の吸込開口３１が底面に設けられた吸込口本体１２と前記紙破砕部（紙破砕手段１９）が収納された破砕ケース本体１８を備え、前記吸込口本体１２の上面には吸込口本体１２内に配設した蓋体３０，３０で開閉可能な本体接続口１７が設けられていると共に、前記破砕ケース本体１８の下面には前記本体接続口１７に着脱可能に挿入接続される接続筒部１８ｂが設けられている。
【００４２】
この構成によれば、図８，図９（ｂ）において、取付凹部１６から破砕ケース本体１８を図７，図９（ａ）の如く取り外したときに、蓋体３０，３０で本体接続口１７を閉成しておくことにより、吸込口本体１２内に破砕した紙が残っていても、吸込口本体１２内の紙が本体接続口１７からこぼれ落ちるようなことはない。
【００４３】
なお、以上説明した実施例では、移動タイプであるキャニスタータイプの電気掃除機にこの発明の吸込口体（アタッチメント）１０を適用した例を示したが、必ずしもこれに限定されるものではない。例えば、この発明の吸込口体（アタッチメント）１０は、移動タイプであるアップライト式の電気掃除機に適用しても良いし、移動タイプであるハンディタイプの電気掃除機に適用することもできる。
【図面の簡単な説明】
【００４４】
【図１】この発明にかかる吸込口体（アタッチメント）を有する電気掃除機の概略斜視図である。
【図２】図１の吸込口体を別の角度から見た拡大斜視図である。
【図３】図２の吸込口体の分解斜視図である。
【図４】図２のＡ１−Ａ１線に沿う断面図である。
【図５】図４の回転カッターとその駆動系の説明のための概略配置図である。
【図６】図４の回転カッターの駆動系の説明図である。
【図７】この発明の変形例を示す吸込口体の分解斜視図である。
【図８】図７の破砕ケース本体を吸込口本体に組み付けた状態の断面図である。
【図９】（ａ）は図８の紙破砕手段を省略すると共にＡ２−Ａ２線に沿って破断した状態で吸込口本体と破砕ケース本体を分解して示した概略斜視図、（ｂ）は（ａ）の吸込口本体と破砕ケース本体を組み付けた状態の斜視図である。
【図１０】この発明の他の変形例を示す断面図である。
【図１１】（ａ）は図１０の紙破砕手段を省略すると共にＡ３−Ａ３線に沿って破断した状態で吸込口本体と破砕ケース本体を分解して示した概略斜視図、（ｂ）は（ａ）の吸込口本体と破砕ケース本体を組み付けた状態の斜視図である。
【符号の説明】
【００４５】
９…延長管
８…手元操作パイプ
１０…吸込口体（アタッチメント）
１１…本体ケース（ケース）
１２…吸込口本体
１４…吸込室
１５…接続パイプ（接続部）
１７…本体接続口
１８…破砕ケース本体
１８ｂ…接続筒部
１９…紙破砕手段（紙破砕部）
３０…蓋体
３１…吸込開口
【図１】
2007068728.tif 000003
【図２】
2007068728.tif 000004
【図３】
2007068728.tif 000005
【図４】
2007068728.tif 000006
【図５】
2007068728.tif 000007
【図６】
2007068728.tif 000008
【図７】
2007068728.tif 000009
【図８】
2007068728.tif 000010
【図９】
2007068728.tif 000011
【図１０】
2007068728.tif 000012
【図１１】
2007068728.tif 000013